(57)【特許請求の範囲】
【請求項１】
穀稈引起装置（１）の後側にあって刈刃装置（２）で刈取られる穀稈を掻込搬送する掻込搬送装置（３）を、株元部を挾持搬送する株元搬送装置（４）と、穂部側をラグ（５，６）によって係合搬送する下穂部搬送装置（７）と、この下穂部搬送装置（７）よりも高速駆動の上穂部搬送装置（８）とによって構成し、これら上・下穂部搬送装置（７，８）の搬送終端部は穀稈搬送方向において上穂部搬送装置（８）側を後位に設け、該上穂部搬送装置（８）と下穂部搬送装置（７）とを、刈取装置（１４）の底部後側に配置した横フレーム部（２９）と、該横フレーム部（２９）の左右から前側斜め上方に延びる支柱（３０）と、該左右の支柱（３０）の上部を連結する上部フレーム（３１）と、前記横フレーム部（２９）から前方に延びる複数の分草杆（１６）と、該分草杆（１６）の刈刃装置（２）より前側部位から立ち上がって後側を迂回するように屈曲して上方に延びて前記上部フレーム（３１）側に連結する部材（３７，３６）にて構成されるフレームで支持される構成とし、刈取穀稈を脱穀装置（１０）のフィードチェン（２８）部へ搬入する穀稈搬送装置（２４）を設けると共に前記各株元搬送装置（４）の後側に設けられて該各株元搬送装置（４）から後側へ搬送される刈取穀稈を前記穀稈搬送装置（２４）側へ集送して受継がせる集送チェン（４８）を設け、前記左右一側の支柱（３０）に取付けたブラケット（５０）に集送穀稈を案内する第１の案内杆（４９）を取付け、左右中央部の株元搬送装置（４）におけるチェン（３９）の穀稈搬送側に第２の案内杆（４０１）を設けるにあたり、該第２の案内杆（４０１）の前端部を前記分草杆（１６）に取付けて該第２の案内杆（４０１）の後部を前記部材（３６）に設けたホルダステー（５２）に対してばね（５３）を介して弾性的に支持し、前記第２の案内杆（４０１）とは別の第３の案内杆（５４）を前記集送チェン（４８）の前側に沿わせて設けると共に該第３の案内杆（５４）の端部に前記集送チェン（４８）に張圧させる案内片（５５）を設けて、前記第２の案内杆（４０１）によって案内された穀稈を第３の案内杆（５４）によって引き継いで集送チェン（４８）に移送案内するように構成し、操縦台（１２）側寄りに配置される株元搬送装置（４）における第２の案内杆（４０２）の基部を前記部材（３６）に取付けると共に、該第２の案内杆（４０２）の自由端部を、スターホイル（４４）の上側面に沿い且つ該スターホイル（４４）の中央の軸受ボス部の回りを前側から横側を経て後側へ迂回するように湾曲させて前記集送チェン（４８）の始端部に接近させて設け、前記部材（３６）に取付けたホルダステー（５７）に第４の案内杆（５６）を弾発保持させて該第４の案内杆（５６）を前記集送チェン（４８）側へ張圧させると共に、該第４の案内杆（５６）の端部にばね材からなる案内片（５８）を設けて該案内片（５８）を前記集送チェン（４８）側へ張圧させ、前記ホルダステー（５７）に対して、隣接する中央側の株元搬送装置（４）側へ弾発する案内片（５９）を取り付けたことを特徴とするコンバイン。
【発明の詳細な説明】
【０００１】
【産業上の利用分野】
この発明は、コンバインに関するものである。
【０００２】
【従来の技術、及び発明が解決しようとする課題】
穀稈引起装置で一定の姿勢に引起される穀稈は、刈取から搬送の工程において、長稈と短稈とでは、姿勢や搬送状態等が異なる。長稈の場合は、穂先部を早く後方へ搬送する必要があり、短稈の場合は、穂先部を早く搬送すると稈身が乱れ易い。
【０００３】
【課題を解決するための手段】
この発明は、穀稈引起装置（１）の後側にあって刈刃装置（２）で刈取られる穀稈を掻込搬送する掻込搬送装置（３）を、株元部を挾持搬送する株元搬送装置（４）と、穂部側をラグ（５，６）によって係合搬送する下穂部搬送装置（７）と、この下穂部搬送装置（７）よりも高速駆動の上穂部搬送装置（８）とによって構成し、これら上・下穂部搬送装置（７，８）の搬送終端部は穀稈搬送方向において上穂部搬送装置（８）側を後位に設け、該上穂部搬送装置（８）と下穂部搬送装置（７）とを、刈取装置（１４）の底部後側に配置した横フレーム部（２９）と、該横フレーム部（２９）の左右から前側斜め上方に延びる支柱（３０）と、該左右の支柱（３０）の上部を連結する上部フレーム（３１）と、前記横フレーム部（２９）から前方に延びる複数の分草杆（１６）と、該分草杆（１６）の刈刃装置（２）より前側部位から立ち上がって後側を迂回するように屈曲して上方に延びて前記上部フレーム（３１）側に連結する部材（３７，３６）にて構成されるフレームで支持される構成とし、刈取穀稈を脱穀装置（１０）のフィードチェン（２８）部へ搬入する穀稈搬送装置（２４）を設けると共に前記各株元搬送装置（４）の後側に設けられて該各株元搬送装置（４）から後側へ搬送される刈取穀稈を前記穀稈搬送装置（２４）側へ集送して受継がせる集送チェン（４８）を設け、前記左右一側の支柱（３０）に取付けたブラケット（５０）に集送穀稈を案内する第１の案内杆（４９）を取付け、左右中央部の株元搬送装置（４）におけるチェン（３９）の穀稈搬送側に第２の案内杆（４０１）を設けるにあたり、該第２の案内杆（４０１）の前端部を前記分草杆（１６）に取付けて該第２の案内杆（４０１）の後部を前記部材（３６）に設けたホルダステー（５２）に対してばね（５３）を介して弾性的に支持し、前記第２の案内杆（４０１）とは別の第３の案内杆（５４）を前記集送チェン（４８）の前側に沿わせて設けると共に該第３の案内杆（５４）の端部に前記集送チェン（４８）に張圧させる案内片（５５）を設けて、前記第２の案内杆（４０１）によって案内された穀稈を第３の案内杆（５４）によって引き継いで集送チェン（４８）に移送案内するように構成し、操縦台（１２）側寄りに配置される株元搬送装置（４）における第２の案内杆（４０２）の基部を前記部材（３６）に取付けると共に、該第２の案内杆（４０２）の自由端部を、スターホイル（４４）の上側面に沿い且つ該スターホイル（４４）の中央の軸受ボス部の回りを前側から横側を経て後側へ迂回するように湾曲させて前記集送チェン（４８）の始端部に接近させて設け、前記部材（３６）に取付けたホルダステー（５７）に第４の案内杆（５６）を弾発保持させて該第４の案内杆（５６）を前記集送チェン（４８）側へ張圧させると共に、該第４の案内杆（５６）の端部にばね材からなる案内片（５８）を設けて該案内片（５８）を前記集送チェン（４８）側へ張圧させ、前記ホルダステー（５７）に対して、隣接する中央側の株元搬送装置（４）側へ弾発する案内片（５９）を取り付けたことを特徴とするコンバインの構成とする。
【０００４】
【作用、及び発明の効果】
コンバイン作業時、穀稈引起装置１で引起される穀稈は、後側部において株元部が刈刃装置２で刈取られると共に、この刈取られた穀稈は、株元部を株元搬送装置４で挾持して搬送されると共に、穂先部を上・下穂部搬送装置７，８のラグ５，６で係合搬送される。
【０００５】
このとき穀稈が短稈であるときは、主として下穂部搬送装置７のラグ５に係合搬送される。この下穂部搬送装置７のラグ５速度は、比較的遅く短稈搬送に適したものとして設定してあるために、穂部搬送が早過ぎたり、遅過ぎて稈身姿勢を乱すことがない。又、穀稈が長稈であるときは、主として上穂部搬送装置８のラグ６によって、該下穂部搬送装置７よりも高速で係合搬送されるため、前倒れ姿勢等で遅れ勝手にある稈身は、穂先部の搬送を速くして、引起中の穀稈からの分離搬送を良好にし、稈身を乱さない。
【０００６】
このように、穀稈の長稈、短稈に拘らず、長稈では、高速駆動の上穂部搬送装置８で搬送し、短稈では、この上穂部搬送装置８による高速搬送は行わせないで、比較的低速の下穂部搬送装置７による搬送によって、稈身を乱さないで整然とした姿勢で搬送することができる。
上記上・下穂部搬送装置７，８の搬送終端部は穀稈搬送方向において上穂部搬送装置７側を後位に設ける構成であるから、上穂部搬送装置７の速度が速い上、長く搬送作用して穀稈の分離を一層確実となす。
そして更に、上記上穂部搬送装置８と下穂部搬送装置７とを、刈取装置１４の底部後側に配置した横フレーム部２９と、該横フレーム部２９の左右から前側斜め上方に延びる支柱３０と、該左右の支柱３０の上部を連結する上部フレーム３１と、前記横フレーム部２９から前方に延びる複数の分草杆１６と、該分草杆１６の刈刃装置２より前側部位から立ち上がって後側を迂回するように屈曲して上方に延び上部フレーム３１側に連結する部材３７，３６にて構成されるフレームで支持される構成であるから、上記上穂部搬送装置８と下穂部搬送装置７とは強固に枠組みされたフレームでしっかりと支持されて上記のごとき搬送作用を適確に行えるものとなる。
また、前記部材３６に取付けたホルダステー５７には、隣接する中央側の株元搬送装置４側へ弾発する案内片５９が取付けられているため、穀稈の集送案内を円滑に行わせることができる。
【０００７】
【実施例】
コンバインは、左右一対のクローラ９を有して走行する車体上に、脱穀装置１０、グレンタンク１１、操縦台１２、操縦席１３、及びエンジンＥ等を搭載し、前部に刈取装置１４を昇降制御自在に設ける。この刈取装置１４は、刈取フレーム１５に、刈刃装置２、分草杆１６、穀稈引起装置１、スターホイル１７やラグ付ベルト１８等からなる掻込装置１９、株元搬送装置４や上下穂部搬送装置８，７等からなる掻込搬送装置３等を有し、この刈取フレーム１５の上端部を、走行伝動ケース２０上のブラケット２１に対して、横方向の刈取入力軸２２の回りに上下回動自在にして支架し、この下部を油圧により伸縮する昇降シリンダ２３によって昇降する構成である。
【０００８】
２４は、穀稈搬送装置で、株元部を挾持搬送する株元搬送装置２５と、穂先側をラグ２６で係合搬送する穂部搬送装置２７とからなり、前記刈取入力軸２２部を中心に前部が上下回動調節可能に設けられ、刈取装置１４で刈取集送する穀稈を、受継いで、後部の脱穀装置１０のフィードチエン２８部へ搬入する構成である。
【０００９】
穀稈引起装置１は、刈取フレーム１５の下端部から左右横方向に亘って一体構成の横フレーム部２９に、支柱３０を設け、この左右の支柱３０間に亘って連結する上部フレーム３１から、下方にブラケット３２を配設し、このブラケット３２の下端部からは、前側下方の分草杆１６との間に穀稈引起装置１を設け、この穀稈引起装置１の後側に上・下穂部搬送装置８，７の駆動スプロケット３３，３４のスプロケット軸３５を、該穀稈引起装置１とは前後対称状に傾斜させて設ける。このスプロケット軸３５を軸受するブラケット（部材）３６が、該上部のブラケット３２と、分草杆１６側に一体の支持アーム（部材）３７との間に亘って連結される。
【００１０】
刈取装置１４の穀稈搬送装置２４寄りの株元搬送装置４は、図３、図４、図６のように、ブラケット３６に連結したブラケット５０の下端部に軸支したスプロケットと、前方のボス４３部に軸支せるスプロケットとの間に、チエン３９を対向させて設け、刈取穀稈の株元部を挾持搬送する。又、操縦台１０側寄りの株元搬送装置４は、図１、図４のように、後端のスプロケットを刈取横フレーム部２９上のブラケット４１に軸支したスプロケットと、これに対向する前方のボス４３部のスプロケットとの間に、チエン３９を張設する。又、左右中央部の株元搬送装置４は、図２、図４のように、前記上方の上部フレーム３１側から、ブラケット３２，３６等を介在させて支持させたブラケット４２下端に位置するスプロケット軸３５のスプロケットから前方に対向するボス４３部のスプロケットとの間にチエン３９を掛け渡して、構成する。これら各チエン３９の穀稈搬送側には案内杆（第２の案内杆）４０１，４０２を有する。
【００１１】
前記各支持アーム３７の後部には、前記ボス４３を有して、このボス４３に軸支する回転軸には、該各チエン３９のスプロケットの他、下端側にはスターホイル４４を有し、上端側にはラグ付ベルト４５の後部を巻き掛けて、各穀稈引起装置１間に案内される引起穀稈の株元側を左右両側から掻き寄せながら、後側へ掻込み、この間に下側では刈刃装置２で刈取る。
【００１２】
下穂部搬送装置７は、長いラグ５を有したラグ付チエンからなり、前記スプロケット軸３５上の小径のスプロケット３３によって駆動されるのに対して、上穂部搬送装置８は、短いラグ６を有したラグ付チエンからなり、スプロケット軸３５上の大径のスプロケット３４によって駆動される。これによってこれら上・下穂部搬送装置８，７間に速度差を生じ、上穂部搬送装置８側が高速となる。
又、下穂部搬送装置７は、短稈の穂部近くを係合しうる位置に設定され、上穂部搬送装置７は、長稈の穂部近くを係合しうる位置に設定される。上・下穂部搬送装置８，７のラグ６，５の先端部の回転軌跡に沿って案内杆４７，４６を設けている。
又、図２に示すように、上・下穂部搬送装置７，８の搬送終端部は穀稈搬送方向において上穂部搬送装置７側を後位に設け、即ち、前記スプロケット軸３５とは直交する穀稈搬送方向において、上穂部搬送装置８の搬送終端部が、下穂部搬送装置７の搬送終端部よりも後位になるように設けている。
【００１３】
集送チエン４８が、前記各株元搬送装置４の後側に亘って、これら株元搬送装置４から後側へ搬送される刈取穀稈を、穀稈搬送装置２４側へ集送して、受継がせるものである。この集送チエン４８は、前記操縦台１２側の株元搬送装置４のスプロケット、即ちブラケット４１上のスプロケットによって、そのチエン３９等と共に駆動できる構成としている。この集送チエン４８の後端部は、刈取フレーム１５後端に一体のブラケット３８に支持したスプロケットに張設させている。
【００１４】
これら集送チエン４８と、中央部及び穀稈搬送装置２４側の株元搬送装置４の後端部とは、相互に接近するが、これらの間には、前記各案内杆４０１の後端部が接近して設けられる。これによって、各掻込搬送装置３によって搬送される刈取穀稈を集送チエン４８の搬送圏内へ送込ませる。穀稈搬送装置２４寄り側の掻込搬送装置３部には、図４、図６のように、集送穀稈を案内する案内杆４９が、前記支柱３０の途中に取付けたブラケット５０に対して、支持ブラケット５１を介して取付ける。このブラケット５０は、前記株元搬送装置４の一部を張圧するスプロケットを支持すると共に、上・下穂部搬送装置８，７の一部のスプロケット等を支持する。又、該下穂部搬送装置７はこの支持ブラケット５１に対して着脱できる。
【００１５】
前記中央部の案内杆４０１は、図７、図８のように前端部を分草杆１６部に取付け、後部は、前記ブラケット３６に対してホルダステー５２を着脱自在に又、上下位置調節可能に設け、このホルダステー５２に対してばね５３を介して弾性的に支持させる。この案内杆４０１と対向する株元搬送装置４の後端部には、別の案内杆５４を設けて、集送チエン４８の前側に沿わせ、該案内杆４０１によって案内された穀稈をこの案内杆５４で引き継いで集送チエン４８に移送案内させる。又、この案内杆５４の先端部にはばねによる案内片５５が設けられ、集送チエン４８に張圧されている。
【００１６】
前記操縦台１２側寄りの株元搬送装置４における案内杆４０２は、前記スターホイル４４の上側面に沿うように、しかもこのスターホイル４４中央の軸受ボス部の回りを前側から横側を経て後側へ迂回するように弯曲し、基部は該ブラケット３６に対して取付けられ、先端部は自由端として集送チエン４８の始端部に接近されている。
【００１７】
このような案内杆４０２と同位に案内杆５６の始端部が位置されて、集送チエン４８に沿って前記案内杆５６に向けて設けられる。この案内杆５６は、終端側をホルダステー５７に対して弾発保持させて、集送チエン４８側へ張圧させている。又、このホルダステー５７は、前記ホルダステー５２と共にブラケット３６に着脱できる。又、この案内杆５６の先端部には、ばね材からなる案内片５８を有し、集送チエン４８へ張圧されている。又、ホルダステー５７には、隣接の中央部側の株元搬送装置４側へ弾発する案内片５９が取付けられ、穀稈の集送案内を円滑に行わせる。
【００１８】
なお、前記刈取装置１４各部の伝動は、刈取入力軸２２から刈取フレーム１５及び横フレーム２９内の伝動機構を経て、刈刃装置２を駆動し、更に一側の支柱３０、上部フレーム３１、及びブラケット３２内の伝動機構を経て、各穀稈引起装置１を駆動し、スプロケット軸３５を伝動して各上下穂部搬送装置８，７、及び各株元搬送装置４を駆動する。各株元搬送装置４のチエン３９側のスターホイル４４やラグ付ベルト４５等は、このチエン３９によって伝動するが、このスターホイル４４と対向するスターホイル４４は、これらスターホイル４４相互の咬合いによって直接伝動する。又、集送チエン４８は、前記横フレーム２９、及びこの一側のブラケット４１内の伝動機構を経て駆動される。
【００１９】
又、穀稈搬送装置２４は、前記入力軸２２の他端側から駆動される。
【図面の簡単な説明】
【図１】刈取装置一部の側面図。
【図２】刈取装置一部の側面図。
【図３】刈取装置部の側面図。
【図４】コンバインの平面図。
【図５】刈取装置一部の正面図。
【図６】刈取装置一部の斜視図。
【図７】刈取装置一部の平面図。
【図８】刈取装置一部の側面図。
【符号の説明】
１  穀稈引起装置
２  刈刃装置
３  掻込搬送装置
４  株元搬送装置
５  ラグ
６  ラグ
７  下穂部搬送装置
８  上穂部搬送装置
１０  刈取穀稈を脱穀装置
１２  操縦台
１６  分草杆
２４  穀稈搬送装置
２８  フィードチェン
３０  支柱
３１ 上部フレーム
３６  部材
３７ 部材
３９  チェン
４４  スターホイル
４８  集送チェン
４９  第１の案内杆
５０  ブラケット
５２  ホルダステー
５３  ばね
５４  第３の案内杆
５５  案内片
５６  第４の案内杆
５７  ホルダステー
５８  案内片
５９  案内片
４０１  第２の案内杆
４０２ 第２の案内杆
【図１】
0003877229.tif 000002
【図２】
0003877229.tif 000003
【図３】
0003877229.tif 000004
【図４】
0003877229.tif 000005
【図５】
0003877229.tif 000006
【図６】
0003877229.tif 000007
【図７】
0003877229.tif 000008
【図８】
0003877229.tif 000009